(57)【要約】      （修正有）【課題】組み立て作業が不要で、ゴルフクラブのスイング時にウエイトが移動する虞れのないゴルフクラブ用グリップを提供する。【解決手段】ゴルフクラブのシャフトに装着する筒状のグリップ本体１とエンドキャップ２とからなり、このエンドキャップ２のヘッド部３にはウエイト５を密接状態で埋設したものとし、エンドキャップ２のスカート部４をグリップ本体１の後端１ａに一体的に成形したものとしている。【選択図】図３
0003214398.tif 000002
【実用新案登録請求の範囲】
【請求項１】
ゴルフクラブのシャフト（Ｓ）に装着する筒状のグリップ本体（１）とエンドキャップ（２）とからなり、このエンドキャップ（２）のヘッド部（３）にはウエイト（５）を密接状態で埋設したものとし、前記エンドキャップ（２）のスカート部（４）を前記グリップ本体（１）の後端（１ａ）に一体的に成形したことを特徴とするゴルフクラブ用グリップ。
【請求項２】
前記ウエイト（５）は、中心に通孔（５ａ）を有した円板状の金属からなるものとしていることを特徴とする請求項１記載のゴルフクラブ用グリップ。
【請求項３】
前記金属として、鉛を用いたものとしていることを特徴とする請求項２記載のゴルフクラブ用グリップ。
【請求項４】
前記エンドキャップ（２）のヘッド部（３）の表面（３ａ）からウエイト（５）の通孔（５ａ）を通過し、ヘッド部（３）の裏面（３ｂ）に突き抜ける貫通孔（６）を設けたことを特徴とする請求項２記載のゴルフクラブ用グリップ。
【考案の詳細な説明】
【技術分野】
【０００１】
この考案は、スイングバランスを調整するためのウエイト（錘）を設けたゴルフクラブ用グリップに関するものである。
【背景技術】
【０００２】
従来からゴルフクラブは、飛距離等の向上をはかるために、ヘッド重量を重くしたり、シャフトの長さを長くすることが試されていた。しかし、ゴルフクラブのヘッド重量を重くしたり、シャフトの長さを長くすることによって、クラブのスイングバランスが変わるので、そのスイングバランスが変わったクラブで、スイングをコントロールしてボールを打つことは困難である。
【０００３】
そこで、ゴルファー自身のスイングに合わせてバランスを調整するために、シャフトのグリップ寄りに鉛の板を貼ったり、グリップそのものを重くしたり、グリップ内にウエイトを設けたりしている。
【０００４】
従来のゴルフクラブ用グリップにおいて、グリップ内にウエイトを設けたものとしては、例えば図４、５に示したように、ゴルフクラブのシャフトＳに挿脱自在として装着した筒状のグリップ本体１１の後端１１ａに収納空間１２を設け、さらにこの収納空間１２を開閉自在としたエンドキャップ１３を取り付けると共に、前記収納空間１２にウエイト１４を着脱自在に収納できるようにしたものが存在する（特許文献１）。
【０００５】
そして、前記ゴルフクラブ用グリップでは、収納空間１２にエンドキャップ１３を螺合することにより着脱自在として取り付けたり、収納空間１２にエンドキャップ１３を嵌合することにより着脱自在として取り付けたりしている。
【０００６】
さらに、前記ゴルフクラブ用グリップでは、ウエイト１４を、収納空間１２に貼着したものとしている。
【先行技術文献】
【特許文献】
【０００７】
【特許文献１】特開２０１２−１９６２８２号公報
【考案の概要】
【考案が解決しようとする課題】
【０００８】
しかしながら、上記従来のゴルフクラブ用グリップでは、グリップ本体１１の後端１１ａに設けた収納空間１２に、ウエイト１４を貼着した状態にして、このウエイト１４を収納空間１２に収納し、さらにエンドキャップ１３を取り付けて、この収納空間１２を塞いでいたため、その組み立て作業が面倒で、時間がかかるため、製品コストが高くなってしまうという課題を有していた。
【０００９】
さらに、上記従来のゴルフクラブ用グリップでは、グリップ本体１１の後端１１ａに設けた収納空間１２に、ウエイト１４を貼着した状態にしているため、長年の使用においては、貼着のための接着剤が劣化したり、またクラブでゴルフボールを強打した場合には、前記接着剤の接着力が不足して、ウエイト１４が剥がれてしまい、ゴルフクラブのスイング時に、収納空間１２内でウエイト１４が移動し、スイングに支障を来すことがあるという課題を有していた。
【００１０】
そこで、この考案は、上記従来の課題を解決するものであり、組み立て作業が不要で、ゴルフクラブのスイング時にウエイトが移動する虞れのないゴルフクラブ用グリップを提供することを目的としてなされたものである。
【課題を解決するための手段】
【００１１】
そのため、この考案のゴルフクラブ用グリップは、ゴルフクラブのシャフトＳに装着する筒状のグリップ本体１とエンドキャップ２とからなり、このエンドキャップ２のヘッド部３にはウエイト５を密接状態で埋設したものとし、前記エンドキャップ２のスカート部４を前記グリップ本体１の後端１ａに一体的に成形したものとしている。
【００１２】
そして、この考案のゴルフクラブ用グリップにおいて、前記ウエイト５は、中心に通孔５ａを有した円板状の金属からなるものとしている。
【００１３】
さらに、この考案のゴルフクラブ用グリップにおいて、前記金属としては、鉛を用いたものとしている。
【００１４】
また、この考案のゴルフクラブ用グリップにおいて、前記エンドキャップ２のヘッド部３の表面３ａからウエイト５の通孔５ａを通過し、ヘッド部３の裏面３ｂに突き抜ける貫通孔６を設けたものとしている。
【考案の効果】
【００１５】
この考案のゴルフクラブ用グリップは、グリップ本体１の後端１ａにエンドキャップ２を一体成形したものとすることにより、組み立て作業が不要となり、製品コストが高くなってしまうことがない。
【００１６】
さらに、この考案のゴルフクラブ用グリップは、エンドキャップ２のヘッド部３ａにウエイト５を密接状態で埋設したものとしているので、長年の使用においても、またゴルフクラブでゴルフボールを強打した場合にも、ウエイト５が移動することなく、スイングに支障を来すこともない。
【図面の簡単な説明】
【００１７】
【図１】この考案のゴルフクラブ用グリップをゴルフクラブのシャフトに装着した状態の断面図である。
【図２】図１に示すこの考案のゴルフクラブ用グリップのグリップ本体とエンドキャップの接合部付近の拡大断面図である。
【図３】図１に示すこの考案のゴルフクラブ用グリップのグリップ本体とエンドキャップの要部断面分解斜視図である。
【図４】従来のゴルフクラブ用グリップをゴルフクラブのシャフトに装着した状態の断面図である。
【図５】図４に示す従来のゴルフクラブ用グリップのグリップ本体とエンドキャップの分解断面図である。
【考案を実施するための形態】
【００１８】
以下、この考案のゴルフクラブ用グリップを実施するための形態を、図面に基づいて詳細に説明する。
【００１９】
この考案のゴルフクラブ用グリップは、図示したように、ゴルフクラブのシャフトＳに挿脱自在として装着する筒状のグリップ本体１と、このグリップ本体１の後端１ａに一体的に成形したエンドキャップ２とからなる。
【００２０】
前記グリップ本体１は、天然ゴム、合成ゴム、軟質樹脂等のゴム弾性を有する素材によって筒状に形成されており、ゴルフクラブのシャフトＳにゴム弾性力をもって、その先端１ｂから挿脱自在として装着している。
【００２１】
前記エンドキャップ２は、円板状のヘッド部３と、このヘッド部３から垂設される円筒状のスカート部４からなり、ヘッド部３にはウエイト５を密接状態で埋設したものとし、スカート部４を前記グリップ本体１の後端１ａに一体的に成形したものとしている。このエンドキャップ２も、前記グリップ本体１と同様に天然ゴム、合成ゴム、軟質樹脂等のゴム弾性を有する素材からなり、グリップ本体１と同素材で同質とするのが、一体的に成形したときの互いの馴染がよく、接着力がよくなるので好ましい。
【００２２】
前記ウエイト５は、１０〜２０ｇの重量を有するものとしており、中心に通孔５ａを有した円板状の金属からなるものとしている。金属としては、比重の大きいもの、例えばタングステン（１９．３０ｇ／ｃｍ3 ）、鉛（１１．３５ｇ／ｃｍ3 ）などが挙げられるが、タングステンは高価であり、硬度が高い（９／モース硬度）ため加工がし難く、鉛はタングステンに比べ安価（約２／５）であり、硬度も低い（１．５／モース硬度）ため加工がし易いので、鉛が好ましい。前記ウエイト５の重量を１０ｇにする場合に鉛を用いると、円板の直径を２０ｍｍ、通孔３ａの直径を３ｍｍ、高さ２．９ｍｍにすることができ、エンドキャップ２のヘッド部３に埋設するのに最適の大きさとなる。また、前記ウエイト５の重量を２０ｇにする場合にも鉛を用いると、円板の直径を２０ｍｍ、通孔５ａの直径を３ｍｍ、高さ５．８ｍｍにすることができ、エンドキャップ２のヘッド部３に埋設するのにも差し支えない大きさとなる。なお、前記ウエイト５は、グリップ本体１をシャフトＳに装着した場合、このシャフトＳの最先端よりも外方に配置されることになるので、ゴルフクラブのバランスの調整を効果的に行なえるものとなる。
【００２３】
さらに、この考案のゴルフクラブ用グリップにおいて、前記エンドキャップ２のヘッド部３の表面３ａからウエイト５の通孔５ａを通過し、ヘッド部３の裏面３ｂに突き抜ける貫通孔６を設けたものとしている。この貫通孔６は、グリップ本体１をシャフトＳに装着する場合に、空気抜き孔として作用し、グリップ本体１のシャフトＳへの装着がスムーズに行えるものとしている。
【００２４】
したがって、以上のように構成されたこの考案のゴルフクラブ用グリップは、グリップ本体１の後端１ａにエンドキャップ２を一体成形したものとしているので、組み立て作業が不要となり、製品コストが高くなってしまうことがなくなった。
【００２５】
さらに、この考案のゴルフクラブ用グリップは、エンドキャップ２のヘッド部３にウエイト５を密接状態で埋設したものとしているので、長年の使用においても、またゴルフクラブでゴルフボールを強打した場合にも、ウエイト５が移動することなく、スイングに支障を来すこともなくなった。
【００２６】
また、この考案のゴルフクラブ用グリップを、販売店等で購入する場合に、ゴルファーが何れのゴルフクラブ用グリップがよいかを選択するには、次に述べるようにして行う。
【００２７】
一つの方法として、販売店等において、前記ウエイト５の重量を、例えば２ｇきざみで１０ｇ、１２ｇ、１４ｇ、・・・にしたゴルフクラブ用グリップのサンプル品を用意しておく。これらのサンプル品をゴルファー自身のゴルフクラブに装着したグリップと次々に付け替えて、ゴルファーが試し打ち行い、スイングバランスを確認する。
【００２８】
そして、ゴルファーが所望するスイングバランスに合っていると感じたサンプル品のウエイト５の重量を確認し、その重量のウエイト５としたゴルフクラブ用グリップを購入し、ゴルファー自身のゴルフクラブに付け代えればよい。
【００２９】
または、販売店等において、前記ウエイト５の重量を、例えば２ｇきざみで１０ｇ、１２ｇ、１４ｇ、・・・にしたゴルフクラブ用グリップを装着したゴルフクラブのサンプル品を複数本、用意しておく。これらのサンプル品を用いて、ゴルファーが試し打ち行い、スイングバランスを確認する。
【００３０】
そして、ゴルファーが所望するスイングバランスに合っていると感じたゴルフクラブのサンプル品のウエイト５の重量を確認し、その重量のウエイト５としたゴルフクラブ用グリップを購入し、ゴルファー自身のゴルフクラブに付け代えればよい。
【００３１】
したがって、この考案のゴルフクラブ用グリップは、ゴルフクラブのスイングバランスを、そのゴルフクラブを使用するゴルファーが所望するものに簡単に付け替えることができるものとなった。
【符号の説明】
【００３２】
１  グリップ本体
１ａ  後端
２  エンドキャップ
３  ヘッド部
３ａ  表面
３ｂ  裏面
４  スカート部
５  ウエイト
５ａ  通孔
６  貫通孔
Ｓ  シャフト
【図１】
0003214398.tif 000003
【図２】
0003214398.tif 000004
【図３】
0003214398.tif 000005
【図４】
0003214398.tif 000006
【図５】
0003214398.tif 000007